(57)【要約】【課題】発熱体あるいは送風部とそれらを覆うガード部を有する空調機器において安全性が高く耐久性の優れた使い勝手のよい安全装置を提供することを目的とする。【解決手段】発熱体あるいはファンモータ３とそれらを覆うガード部２とガード部２に人が触れたことを検知する検知部１７と安全設定の設定解除を行う設定部１０を備え、設定部１０により安全設定されているときに検知部１７が人の触れたことを検知すれば、発熱体あるいはファンモータ３を停止させることにより、安全性の高い空調機器が得られる。【選択図】図２
2006097489.tif 000002
【特許請求の範囲】
【請求項１】
発熱体あるいは送風部を有する空調機器本体と、前記発熱体あるいは前記送風部を覆うガード部と、前記発熱体あるいは前記送風部を駆動する駆動部と、この駆動部を制御する制御部と、安全設定の設定と解除を行う設定部と、前記ガード部に人が触れたことを検知する検知部を有し、前記制御部は運転状態で前記設定部により安全設定されている時には前記ガード部に人が触れたことを前記検知部が検知すると、前記駆動部を制御し前記発熱体あるいは前記送風部を停止させるようにしたことを特徴とする空調機器の安全装置。
【請求項２】
前記制御部は、前記検知部が人の触れたことを検知し、前記発熱体あるいは前記送風部を停止した後、前記検知部の検知がなくなり一定時間経過後再度運転を再開するようにしたことを特徴とする請求項１記載の空調機器の安全装置。
【請求項３】
前記制御部は、前記検知部が検知し前記発熱体あるいは前記送風部を停止させ一定時間停止した後再度運転させる動作が一定時間間隔以内で一定回数以上継続した場合には、待機状態となるようにしたことを特徴とする請求項１記載の空調機器の安全装置。
【請求項４】
前記制御部は、前記検知部の検知状態が一定時間継続すると待機状態となるようにしたことを特徴とする請求項１記載の空調機器の安全装置。
【請求項５】
前記制御部は、前記検知部が検知し前記送風部が停止した後再運転する回数を使用部品の耐久回数から算出して設定したことを特徴とする請求項１〜３いずれかに記載の空調機器の安全装置。
【請求項６】
前記制御部は、前記検知部が検知し前記発熱体あるいは前記送風部が停止するときに発熱する部品近傍に設けられた温度検知部が設定値以上となったときに待機状態となるようにしたことを特徴とする請求項１〜５のいずれかに記載の空調機器の安全装置。
【請求項７】
前記検知部の検知や前記温度検知部が設定値以上となったことにより待機状態となったときには、前記設定部により安全設定が解除されない限り全てのモード変更ができないようにしてなる請求項３、４、または６記載の空調機器の安全装置。
【請求項８】
前記検知部が検知したときには、音で知らせるようにしたことを特徴とする請求項１記載の空調機器の安全装置。
【請求項９】
前記検知部の検知や前記温度検知部が設定値以上となったことにより待機状態となったときには、音で知らせるようにしたことを特徴とする請求項３、４、または６記載の空調機器の安全装置。
【請求項１０】
前記検知部の検知や前記温度検知部が設定値以上となったことにより待機状態となったときには、表示を行うようにしたことを特徴とする請求項３、４、または６記載の空調機器の安全装置。
【発明の詳細な説明】
【技術分野】
【０００１】
本発明は、一般家庭で使用される送風機器、暖房機器等の空調機器の安全装置に関するものである。
【背景技術】
【０００２】
従来、この種の空調機器の安全装置の一例として、チャイルドロック機能をスイッチ操作で設定する扇風機が知られている（例えば、特許文献１参照）。
【０００３】
以下、その扇風機ついて図５を参照しながら説明する。
【０００４】
図に示すように、扇風機本体１０１の主要部は回転羽根１１１と回転羽根１１１を回転させるファンモータ１０３と回転羽根１１１を覆うガード部１１２からなる送風部１１３、支柱１０４および基台１０５からなり、基台１０５上に操作部１０６を設けている。
【０００５】
また、操作部１０６には入・切スイッチＳＷ１０１、風量設定スイッチＳＷ１０２、リズム風選択スイッチＳＷ１０３、タイマー設定スイッチＳＷ１０４を備え、風量がソフト、中、強を表示するＬＥＤ１０１〜ＬＥＤ１０３、タイマーの設定時間および動作時間を示すＬＥＤ１０４〜ＬＥＤ１０６が設けられている。
【０００６】
図６は扇風機の制御系を示すブロック図であり、制御回路１１０には前記したスイッチＳＷ１０１〜ＳＷ１０４が接続されており、これらの入力によりファンモータ１０３を制御するとともに、ＬＥＤ１０１〜ＬＥＤ１０６の点灯により運転状態を表示するものである。
【０００７】
また、風量選定スイッチＳＷ１０２と動作時間設定スイッチＳＷ１０４とを同時に数秒間押すことによって、それ以前に設定していた運転モードまたは停止状態を維持し、それ以後のスイッチ操作に対しては応答しないチャイルドロック機能を有している。
【特許文献１】特開平１１−２８０６９２号公報
【発明の開示】
【発明が解決しようとする課題】
【０００８】
このような従来の空調機器の安全装置では、チャイルドロックが設定されていると、停止状態あるいは運転状態にあるときに子供が設定を変更して停止状態から運転状態になって子供が危険にさらされることや回転羽根も回転が急に変わり使用者に不快感を与えることは軽減できるが、子供がいたずらしようとして回転羽根に触れようとしても、回転が止まらず危険であるという課題があり、安全設定が設定されているときに子供が回転羽根に触れようと回転羽根を覆うガード部に触れると回転羽根が停止する安全性が高く耐久性の優れた使い勝手のよい空調機器が要求されている。
【０００９】
本発明は、このような従来の課題を解決するものであり、子供がいたずらをしようとして回転羽根に触れようと回転羽根を覆うガード部に触れると回転羽根が停止する安全性が高く耐久性の優れた使い勝手のよい空調機器の安全装置を提供することを目的としている。
【課題を解決するための手段】
【００１０】
本発明の空調機器の安全装置は上記目的を達成するために、発熱体あるいは送風部を有する空調機器本体と、前記発熱体あるいは前記送風部を覆うガード部と、前記発熱体あるいは前記送風部を駆動する駆動部と、この駆動部を制御する制御部と、安全設定の設定と解除を行う設定部と、前記ガード部に人が触れたことを検知する検知部を有し、前記制御部は前記設定部により安全設定されている時に前記ガード部に人が触れたことを前記検知部が検知すると、前記駆動部を制御し前記発熱体あるいは前記送風部を停止させるようにしたものである。
【００１１】
また他の手段は、前記制御部は、前記検知部が人の触れたことを検知し、前記発熱体あるいは前記送風部を停止した後、前記検知部の検知がなくなり一定時間経過後再度運転を再開するようにしたものである。
【００１２】
また他の手段は、前記制御部は、前記検知部が検知し前記発熱体あるいは前記送風部を停止させ一定時間停止した後再度運転させる動作が一定時間間隔以内で一定回数以上継続した場合には、待機状態となるようにしたものである。
【００１３】
また他の手段は、前記制御部は、前記検知部の検知状態が一定時間継続すると待機状態となるようにしたものである。
【００１４】
これらの手段により、安全設定が設定されていると、子供が送風部に触れようとしてガード部に触れると送風部が停止し、また子供がいたずらで検知部を何度も触れているときや抱きついたりして長時間触っているときには待機状態となる安全性の高い空調機器の安全装置を得られる。
【００１５】
また他の手段は、前記制御部は、前記検知部が検知し前記送風部が停止した後再運転する回数を製品寿命と使用部品の耐久回数から算出して設定するようにしたものである。
【００１６】
また他の手段は、前記制御部は前記検知部が検知し前記発熱体あるいは前記送風部が停止するときに発熱する部品近傍に設けられた温度検知部が設定値以上となったときに待機状態となるようにしたものである。
【００１７】
また他の手段は、前記検知部の検知や前記温度検知部が設定値以上となったことにより待機状態となったときには、前記設定部により安全設定が解除されない限り全てのモード変更ができないようにしたものである。
【００１８】
これらの手段により、検知部が検知し発熱体あるいは送風部を停止させるためにＯＮ／ＯＦＦ動作をする使用部品やＯＮ／ＯＦＦ動作時に発熱する使用部品がある場合でも、ＯＮ／ＯＦＦ動作を行う部品に対しては、寿命から算出される耐久回数以内となるように再運転の回数が設定されており、また発熱する部品に対しては温度検知部が設定値以上となった時に待機状態となるため、耐久性が優れた空調機器の安全装置を得られる。
【００１９】
また他の手段は、前記検知部が検知したときには、音で知らせるようにしたものである。
【００２０】
また他の手段は、前記検知部の検知や前記温度検知部が設定値以上となったことにより待機状態となったときには、音で知らせるようにしたものである。
【００２１】
また、前記検知部の検知や前記温度検知部が設定値以上となったことにより待機状態となったときには、表示を行うようにしたものである。
【００２２】
これらの手段により、子供がガード部に触れ危険な状態であることを使用者に知らせることができ、また子供が触って空調機器が待機状態になったことを知らせることのできる使い勝手のよい空調機器の安全装置を得られる。
【発明の効果】
【００２３】
本発明によれば、安全設定が設定されていると、子供が送風部に触れようとしてガード部に触れると送風部が停止し、また子供がいたずらで検知部を何度も触れたときや、子供が商品に抱きついたりして連続して検知部に触れているときには待機状態となる安全性の高い空調機器の安全装置を提供できる。
【００２４】
また、検知部が検知し発熱体あるいは送風部を停止させるためにＯＮ／ＯＦＦ動作を行う使用部品や発熱する使用部品がある場合でも、ＯＮ／ＯＦＦ動作を行う部品に対しては、寿命から算出される耐久回数以内となるように再運転の回数が設定されており、また発熱する部品に対しては温度検知部が設定値以上となった時に待機状態とするので、耐久性の優れた空調機器の安全装置を提供できる。
【００２５】
また、子供がガード部に触れ危険な状態であることを使用者に知らせることができ、また子供のいたずらにより空調機器が待機状態になったことを知らせることのできる使い勝手のよい空調機器の安全装置を提供できる。
【発明を実施するための最良の形態】
【００２６】
本発明の請求項１記載の発明は、発熱体あるいは送風部を有する空調機器本体と、前記発熱体あるいは前記送風部を覆うガード部と、前記発熱体あるいは前記送風部を駆動する駆動部と、この駆動部を制御する制御部と、安全設定の設定と解除を行う設定部と、前記ガード部に人が触れたことを検知する検知部を有し、前記制御部は前記設定部により安全設定されている時に前記ガード部に人が触れたことを前記検知部が検知すると、前記駆動部を制御し前記発熱体あるいは前記送風部を停止させるようにしたものであり、もっとも危険な発熱体あるいは送風部を覆うガード部に触れたことを検知する検知部を設けているので、子供が発熱体あるいは送風部を触ろうとガード部に触れると、発熱体あるいは送風部が停止し、また検知部はガード部に触れたときのみ検知するので子供が危険な動作をするという限られた必要最小限の行為のときしか発熱体あるいは送風部を停止しないため、使用者が頻繁に空調機器が停止して煩わしく感じるという頻度が軽減し、また使用者は子供のいるときだけ設定部により安全設定を設定できるため、安全性と使い勝手が向上するという作用を有する。
【００２７】
また、前記制御部は、前記検知部が人の触れたことを検知し、前記発熱体あるいは前記送風部を停止した後、前記検知部の検知がなくなり一定時間経過後再度運転を再開するので、子供が不用意に気づかないうちにガード部に触れ停止しても直ちに運転せず一定時間経過後運転するため、再運転時にはその場所から離れており運転に気づくことが少なくなり、再運転に驚き転んだりする危険の拡大が低減できるという作用を有する。
【００２８】
また、前記制御部は、前記検知部が検知し前記発熱体あるいは前記送風部を停止させ一定時間停止した後再度運転させる動作が一定時間間隔以内で一定回数以上継続した場合には、待機状態となるものであり、子供がガード部に触れ検知部が検知し発熱体あるいは送風部が停止し、再度運転再開する動作を面白がりいたずらでガード部に何回も触れたときでも、一定時間間隔以内で一定回数以上継続すれば、子供のいたずらなどの異常と判断して、待機状態となるため子供がそれ以上のいたずら行為をしなくなり安全性が向上するという作用を有する。
【００２９】
また、前記制御部は、前記検知部の検知状態が一定時間継続すると待機状態となるものであり、子供がガード部に抱きつくようないたずらを行い空調機器が倒れても、検知部は検知状態が一定時間継続すると待機状態となるので、倒れた状態で発熱体あるいは送風部が再運転せず安全性が向上するという作用を有する。
【００３０】
また、前記制御部は、前記検知部が検知し前記送風部が停止した後再運転する回数を製品寿命と使用部品の耐久回数から算出して設定したものであり、子供がいたずらで発熱体あるいは送風部を停止する動作がある程度の頻度で行われても、再運転する時間間隔と再運転回数を使用部品の耐久回数と製品寿命から決定しているので、使用部品が早く破壊し製品寿命が短くならず耐久性が向上するという作用を有する。
【００３１】
また、前記制御部は、前記検知部が検知し前記発熱体あるいは前記送風部が停止するときに発熱する部品近傍に設けられた温度検知部が設定値以上となったときに待機状態となるようにしたものであり、子供がいたずらし発熱体あるいは送風部の運転・停止を繰り返すと、運転・停止により発熱する部品があれば、部品が発熱し半田付け部分にストレスがかかり製品の寿命が短くなるが、発熱部品の近傍には温度検知部が設けてあり、設定温度以上になると待機状態となるため、製品寿命が短くならず耐久性が向上するという作用を有する。
【００３２】
また、前記検知部の検知や前記温度検知部が設定値以上となったことにより待機状態となったときには、前記設定部により安全設定が解除されない限り全てのモード変更ができないようにしたものであり、子供がいたずらをして待機状態となった後に、再度いたずらをしようとしても運転することができないため安全性と耐久性が向上するという作用を有する。
【００３３】
また、前記検知部が検知したときには、音で知らせるようにしたものであり、子供が発熱体あるいは送風部といった危険部位に触っていることを、使用者に知らせることができるので、使用者の使い勝手が向上するという作用を有する。
【００３４】
また、前記検知部の検知や前記温度検知部が設定値以上となったことにより待機状態となったときには、音で知らせるようにしたものであり、子供がいたずらをして空調機器の運転が停止していることがわかるため、再度使用者が製品の運転を設定し快適な空間を作ることができるため、使い勝手が向上するという作用を有する。
【００３５】
また、前記検知部の検知や前記温度検知部が設定値以上となったことにより待機状態となったときには、表示を行うようにしたものであり、何故製品が停止しているのかその原因がわかり、使い勝手が向上するという作用を有する。
【００３６】
以下、本発明の実施の形態について図面を参照しながら説明する。
【００３７】
（実施の形態１）
図１および図２に示すように、扇風機本体１の主要部は回転羽根２と回転羽根２を回転させるファンモータ３と回転羽根２を覆うガードであるガード部４からなる送風部５を支柱６と基台７で支えており、基台７の上には操作部８が設けられている。
【００３８】
操作部８には、運転切入を行う運転切入スイッチ９と運転切換を行う運転切換スイッチ１１と安全設定を行う設定部１０からなるスイッチ部１９と運転の状態を表示する運転状態表示部１２と安全設定の設定を知らせる安全設定表示部１４と安全設定時に待機状態となったときの表示を行う安全待機状態表示部１３を備え、主にＬＥＤや液晶により表示される表示部２０が設けられている。
【００３９】
また、運転状態表示部１２には、運転の状態をそれぞれ表示する弱表示１２ａ、中表示１２ｂ、強表示１２ｃがある。
【００４０】
回路ブロック構成としては、商用電源２１を降圧する電源部２２は、制御部２３、表示部１２、スイッチ部１９、発音部１６の各部に電源を供給しており、制御部２３はスイッチ部１９の入力に従って、駆動部１５を制御することによりファンモーターを駆動するとともに表示部１２の表示や発音部１６による鳴動を行っている。電源部２２は整流素子と平滑用電解コンデンサーとＡＣ、ＤＣコンバータを備えた構成であり、駆動部１５は複数のトライアックを備えたものである。
【００４１】
また、ガード部４には人がガード部４に触れたことを人に流れる微弱電流で検知する検知部１７が設けられている。検知部１７としてはタッチセンサー等がある。
【００４２】
また、直流電源部１８は整流素子１８ａと電流制限用抵抗１８ｃと平滑用電解コンデンサー１８ｂを備えており、制御部２３は検知部１７から人が触れた信号があると駆動部１５をＯＦＦするとともにリレー２４をＯＮとしてファンモータ３に直流電圧部１８の直流電圧を印加することによりファンモータ３を急激に停止させ回転羽根２をとめている。
【００４３】
さらに、電流制限抵抗１８ｃの近傍には電流制限抵抗１８ｃの温度上昇値を測定する温度検知部２５が設けられている。
【００４４】
上記構成において、本発明の動作について図３のフローチャートにより説明する。
【００４５】
扇風機本体１は、ステップ３０で商用電源２１を投入されることにより動作を開始する。
【００４６】
ステップ３１は、使用者が好む運転状態に設定するステップでスイッチ部１９の運転切入スイッチ９で運転を開始し、運転切換スイッチ１１で運転状態を設定する。
【００４７】
ステップ３２では、安全設定の設定解除を行い使用している部屋に子供がいて危険であると判断した場合には使用者がスイッチ部１９の設定部１０を操作し安全設定を行う。安全設定を行うと、設定状態を知らせる安全設定表示部１４が点灯する。
【００４８】
ステップ３３は、安全設定状態かどうかを判定する部分で、設定されていればステップ３４以下の動作を行い、設定されていなければステップ４６で後述する動作で安全待機状態になっていればそれを解除し、次にステップ４７で通常運転に戻る。
【００４９】
ステップ３４、ステップ３５、ステップ３６およびステップ４８は安全設定状態において運転モードを変更する際に発生する動作で、ステップ３４で運転モード変更の入力があれば、ステップ３５で後述する安全待機状態かどうかを判定し、安全運転待機状態であればステップ４８で運転モード変更は拒否され安全運転待機状態を継続する。安全待機状態でなければ、ステップ３６で運転モードの変更を行う。
【００５０】
ステップ３７は、ステップ３２で安全運転を設定されると検知部１７に人が触れたがどうかを常に検知しており、人が触れるとステップ３８〜４０へ進み、発音部１６を鳴動させ駆動部１５をＯＦＦするとともにリレー２４をＯＮにして直流電源部１８の電圧をファンモータ３に印加することで回転羽根２を急停止させる。
【００５１】
ステップ４１は、検知部１７に継続して人が触れている時間をカウントしており、設定されたｔ１以上触れていない場合は、ステップ４２へ触れている場合はステップ４９〜ステップ５１へ進む。設定されている時間ｔ１は、通常使用者が不用意に触れるような短い時間ではなく、子供が扇風機本体１に故意に抱きついたりする長めの時間例えば１０秒以上に設定される。
【００５２】
ステップ４２、ステップ４３、ステップ５２、ステップ５３は、前回検知部１７が検知してファンモーター３を一定時間停止させて再運転させてから今回検知するまでの時間間隔と、その回数をカウントしている部分で、ステップ４２で前回からの検知時間がｔ２以上経過していれば、ステップ４３で再運転回数を０とし、ｔ２以上経過していなければステップ５２で再運転回数をカウントアップして、次のステップ５３で再運転回数の判定を行う。ステップ５３で再運転回数がＸ回以上であれば、ステップ４９〜ステップ５１へ進み、Ｘ回未満であればステップ４４へ進む。
【００５３】
ステップ４２で設定されている時間ｔ２は、使用者が通常使用時に触れるような長い時間間隔ではなく、子供がガード部４に触れ回転羽根２が停止する動作を面白がりいたずらで行うような短い時間間隔例えば１０秒以内に設定されている。
【００５４】
また、ステップ５３で設定されている回数Ｘは、扇風機本体１の商品としての寿命とファンモーター３へ直流電源部１８の電圧を印加するために使用されているリレーの耐久回数から設定しており、例えば、扇風機本体１の商品としての寿命が１０年、年間使用日数が１００日、子供が１日に停止する回数が５回、リレーの耐久回数が５万回である場合、最大の回数Ｘは、Ｘ＝５万回／（１０年×１００日×５回／日）＝１０回となり、再運転回数は通常余裕をみて１０回以下に設定される。
【００５５】
ステップ４４は再運転までの時間を設定している部分で設定時間ｔ３以上になれば次のステップ４５に進む。ステップ４４で設定されている時間ｔ３は、子供が歩いているときなどに不用意に触れて回転羽根２が停止し再運転する際に子供が驚かないよう、ある程度扇風機本体１から離れることのできる時間に設定されている。
【００５６】
ステップ４５は、直流電源部１８の電解コンデンサー１８ｂへの充放電電流を制限する電流制限用抵抗１８ｃの近傍に設けられた温度検知部２５の検知温度を判定している部分で、子供がいたずらをしてステップ４２、ステップ５３の判定でステップ４９〜ステップ５１に進み安全待機状態になれば問題はないが、ステップ４２で設定している時間を少し越える時間が入り再運転回数０になるような操作をされると、図４に示すように安全待機状態とならないで電流制限用抵抗１８ｃの温度が上昇するため基板の半田付け部分が上昇しストレスが加わりクラックが入り発火したり、電流制限用抵抗１８ｃの近傍にリード線があれば、絶縁破壊をしたりして危険な状態になる。そのため、Ｔ℃はそのようにならない温度に設定されており、Ｔ℃以上になればステップ４９〜ステップ５１へ進み、未満であれば再度ステップ３２へ進む。図４においては、再運転回数Ｘ＝５で設定している。
【００５７】
ステップ４９〜ステップ５１は、ステップ４１でｔ１以上、ステップ５３でＸ回以上、ステップ４５でＴ℃以上になったときに行う動作で、ステップ４９で発音部１６を鳴動させ、ステップ５０で安全待機状態を表示する安全待機状態表示部１３を点灯させ、ステップ５１で安全待機状態となる。
【００５８】
このように、設定部１０により安全運転を設定されていれば、子供が回転羽根２に触れようとしてガード部４に触れるとファンモーター３が停止して回転羽根２も停止し、不用意に子供が扇風機本体１に触れたときには、子供がある程度離れた後に再運転をするので子供が再運転に驚かず安全性が向上する。
【００５９】
また、子供がいたずらでガード部４を何度も触れたことを検知部１７が検知したり、子供が扇風機本体１に抱きついたりして連続してガード部４に触れたことを検知部１７が検知した場合には、運転モードの変更できない安全待機状態となるため、安全性が向上する。
【００６０】
また、検知部１７が検知しファンモーター３を停止させるためにＯＮ／ＯＦＦ動作を行う使用部品や発熱する使用部品がある場合でも、ＯＮ／ＯＦＦ動作を行う部品に対しては、寿命から算出される耐久回数以内となるように再運転の回数が設定されており、また発熱する部品に対しては温度検知部が設定値以上となった時に安全待機状態とするので、耐久性が向上する。
【００６１】
また、子供がガード部４に触れ危険な状態であることが発音部１６を鳴動させることで使用者に知らせることができ、子供のいたずらにより扇風機本体１が安全待機状態になったことを安全待機状態表示部１３のよる表示と発音部１６による鳴動で知らせることができるので使い勝手が向上する。
【００６２】
なお、実施の形態１において扇風機を用いて説明を行ったが、電気温風機など発熱体あるいは送風部とそれを覆うガード部があれば同様の作用効果を得ることができる。
【００６３】
また、安全設定の設定部１０を独立させて説明したが、従来からあるスイッチの組み合わせで設定してもよく、設定部１０を操作する時間を子供が設定しにくい長時間をしにしてもよい。
【産業上の利用可能性】
【００６４】
発熱体あるいは送風部を覆うガード部に設けた検知部により容易に安全性の高い、耐久性のある、使い勝手のよい空調機器の安全装置を提供できるので、発熱体あるいは送風部のある設備用機器にも適用できる。
【図面の簡単な説明】
【００６５】
【図１】本発明の実施の形態１の扇風機本体および操作パネルの平面図
【図２】同扇風機のブロック図
【図３】同扇風機の動作を示すフローチャート
【図４】同扇風機の温度検知部の変化を示すグラフ
【図５】従来の扇風機本体および操作パネルの平面図
【図６】同扇風機の制御系を示すブロック図
【符号の説明】
【００６６】
２    ガード部
５    送風部
１０  設定部
１５  駆動部
１７  検知部
２３  制御部
２５  温度検知部
【図１】
2006097489.tif 000003
【図２】
2006097489.tif 000004
【図３】
2006097489.tif 000005
【図４】
2006097489.tif 000006
【図５】
2006097489.tif 000007
【図６】
2006097489.tif 000008